(57)【要約】【課題】デジタルオーディオプレーヤの購入者をコンテンツ配信者のインターネットホームページに誘導することにより、該デジタルオーディオプレーヤに広告効果をも発揮させる。【解決手段】予めコンテンツを記録した記録媒体と、パソコンへの接続を可能にする接続手段１３と、パソコンに接続したときにコンテンツ配信者のインターネットホームページに自動的にアクセスするようにしたプログラムとを備えていることを特徴とする持ち運び可能なデジタルオーディオプレーヤ。【選択図】図１
2010139519.tif 000002
【特許請求の範囲】
【請求項１】
予めコンテンツを記録した記録媒体と、パソコンへの接続を可能にする接続手段と、パソコンに接続したときにコンテンツ配信者のインターネットホームページに自動的にアクセスするようにしたプログラムとを備えていることを特徴とする持ち運び可能なデジタルオーディオプレーヤ。
【発明の詳細な説明】
【技術分野】
【０００１】
本発明は、コンテンツ再生機器としてのデジタルオーディオプレーヤに関するものである。
【背景技術】
【０００２】
デジタルオーディオプレーヤとしては、例えば実開平５−３３３１３号公報に示す如く、種々のものが知られている。
【特許文献１】実開平５−３３３１３号公報
【発明の開示】
【発明が解決しようとする課題】
【０００３】
従来より、デジタルオーディオプレーヤの販売とコンテンツの配信とは、それぞれが独立した販売形態を構成している。すなわち、デジタルオーディオプレーヤはコンテンツ再生機器の製造者により提供され、音楽等のコンテンツはコンパクトディスク等の記録媒体に記録された状態でコンテンツの配信者により提供されている。
【０００４】
例えば、音楽等のコンテンツを記録したコンパクトディスク等の記録媒体を購入した者は、これをデジタルオーディオプレーヤに再生させることにより初めてコンテンツを楽しむことができる。
【０００５】
仮に、コンテンツが予め記録されているコンパクトディスク等の記録媒体をデジタルオーディオプレーヤの付録として提供したときでも、デジタルオーディオプレーヤの購入者が現実に該記録媒体に記録されているコンテンツを聴取するとは限らない。したがって、コンテンツの配信者側における広告効果は高いものとは言えない。
【０００６】
また、従来のデジタルオーディオプレーヤにおいては、該デジタルオーディオプレーヤの購入者がコンパクトディスク等の記録媒体を購入したときでも、該記録媒体をデジタルオーディオプレーヤにより再生させるまでは、そのコンテンツを聴取することができない。
【０００７】
このような状況に鑑み、本発明は、デジタルオーディオプレーヤの購入者をコンテンツ配信者のインターネットホームページに誘導することにより、該デジタルオーディオプレーヤに広告効果をも発揮させようとしてなされたものである。
【課題を解決するための手段】
【０００８】
上記課題を解決するために、本発明は、下記のデジタルオーディオプレーヤを提供する。
【０００９】
予めコンテンツを記録した記録媒体と、パソコンへの接続を可能にする接続手段と、パソコンに接続したときにコンテンツ配信者のインターネットホームページに自動的にアクセスするようにしたプログラムとを備えていることを特徴とする持ち運び可能なデジタルオーディオプレーヤ。
【発明の効果】
【００１０】
本発明によるデジタルオーディオプレーヤは、予めコンテンツを記録した記録媒体を備えているため、デジタルオーディオプレーヤの購入者は、所望の時間に所望の場所で、該コンテンツを聴取することができる。換言すれば、コンテンツ配信者は、該記録媒体に記録されたコンテンツをデジタルオーディオプレーヤの購入者に確実に聴取させることができる。なお、デジタルオーディオプレーヤの購入者は、該デジタルオーディオプレーヤをパソコンに接続していないときでも、該コンテンツを聴取することができることはいうまでもない。
【００１１】
本発明によるデジタルオーディオプレーヤをパソコンに接続したときには、コンテンツ配信者のインターネットホームページに自動的にアクセスすることができる。すなわち、デジタルオーディオプレーヤの購入者は、更なるコンテンツを購入する可能性のあるコンテンツ配信者のインターネットホームページに自動的に誘導される。したがって、コンテンツ配信者ないし著作者にとっては、更なるコンテンツを配信する機会を得るという大きな広告効果がもたらされる。
【００１２】
一方、デジタルオーディオプレーヤの購入者は、単に本発明によるデジタルオーディオプレーヤをパソコンに接続することによりコンテンツ配信者のインターネットホームページに自動的にアクセスすることができるため、自己が関心を持ち或いは入手することを希望する新たなコンテンツに関する情報を容易に得ることができる。
【００１３】
更に、デジタルオーディオプレーヤの販売者側から見た場合には、デジタルオーディオプレーヤを販売することにより、上述の如くコンテンツ配信者ないし著作者に大きな利益をもたらすことになるため、デジタルオーディオプレーヤの販売者とコンテンツ配信者ないし著作者との利益が一致する。したがって、販売者にとっては、デジタルオーディオプレーヤを販売するに際しての著作権等の問題が軽減され、デジタルオーディオプレーヤに予めコンテンツを記録した記録媒体を備えさせるという付加価値を容易に確保することができる。
また、デジタルオーディオプレーヤの購入者をコンテンツ配信者のインターネットホームページに自動的に誘導して該購入者が欲するコンテンツに関する詳細な情報を提供することができる。したがって、デジタルオーディオプレーヤの販売者は、デジタルオーディオプレーヤの販売を促進させることができるという利益を有する。
【００１４】
以上の如く、本発明によるデジタルオーディオプレーヤは、コンテンツ配信者ないし著作者と、デジタルオーディオプレーヤの購入者と、デジタルオーディオプレーヤの販売者とのいずれに対しても、好ましい効果を発揮するものである。
【発明を実施するための最良の形態】
【００１５】
本発明によるデジタルオーディオプレーヤ１は、持ち運び可能であり、乾電池等の電源（図示せず。）、イヤホン（図示せず。）等の他、コンテンツ情報、メニュー等を表示するディスプレイ３を備えている。
【００１６】
符号５に示すものは、再生／停止／電源ボタンである。符号７に示すものはメニュー選択スイッチ、符号９に示すものはイヤホン出力端子、符号１１に示すものは開閉自在の電池カバーである。電池カバー１１を開閉することにより、必要に応じて電池の交換を行なうことができる。符号１２に示すものは音量スイッチである。
【００１７】
しかして、本発明においては、デジタルオーディオプレーヤ１は、予めコンテンツを記録した記録媒体（図示せず。）を備えている。
【００１８】
すなわち、本発明によるデジタルオーディオプレーヤ１には、音楽等のコンテンツを予め記録したメモリ等の記録媒体を備えている。このコンテンツは、保護された状態で入力されているため、他の媒体により容易に聴取することはできない。
【００１９】
デジタルオーディオプレーヤ１は、パソコン（パーソナルコンピュータ）への接続を可能にするＵＳＢコネクタ等の接続手段１３を備えている。符号１５に示すものは接続手段１３のキャップである。
【００２０】
更に、デジタルオーディオプレーヤ１は、これを接続手段１３を介してパソコンに接続したときにコンテンツ配信者のインターネットホームページに自動的にアクセスするようにしたプログラムを備えている。
【００２１】
図５は、デジタルオーディオプレーヤ１を接続手段１３を介してパソコンに接続したときに自動的にアクセスされる画面を示す。
【００２２】
図５に示す画面においては、各コンテンツ配信者ａ、ｂ、ｃ、ｄが配信しているコンテンツの詳細情報１７が表示される。
【００２３】
図６はコンテンツ配信者２１とデジタルオーディオプレーヤの購入者２３との関係を示す参考図である。
【００２４】
コンテンツ配信者２１は、インターネットホームページに自己が配信しているコンテンツに関する詳細な情報を開示する。デジタルオーディオプレーヤ１の購入者２３は、そのデジタルオーディオプレーヤ１をパソコンに接続することによりコンテンツ配信者２１のインターネットホームページに自動的にアクセスして当該コンテンツ配信者２１が配信しているコンテンツに関する詳細な情報を入手し、所望の音楽等のコンテンツをコンテンツ配信者２１より購入する。
【図面の簡単な説明】
【００２５】
【図１】本発明によるデジタルオーディオプレーヤの一例において、キャップを外した状態を示す平面図である。
【図２】同上デジタルオーディオプレーヤにおいて、キャップを嵌めた状態を示す平面図である。
【図３】同上デジタルオーディオプレーヤにおいて、キャップを嵌めた状態を示す側面図である。
【図４】同上デジタルオーディオプレーヤにおいて、キャップを嵌めた状態を示す底面図である。
【図５】デジタルオーディオプレーヤをパソコンに接続したときに自動的にアクセスされる画面を示す正面図である。
【図６】コンテンツ配信者とデジタルオーディオプレーヤの購入者との関係を示す参考図である。
【符号の説明】
【００２６】
１  デジタルオーディオプレーヤ
３  ディスプレイ
５  再生／停止／電源ボタン
７  メニュー選択スイッチ
９  イヤホン出力端子
１１  電池カバー
１２  音量スイッチ
１３  接続手段
１５  キャップ
１７  コンテンツの詳細情報
２１  コンテンツ配信者
２３  デジタルオーディオプレーヤの購入者
【図１】
2010139519.tif 000003
【図２】
2010139519.tif 000004
【図３】
2010139519.tif 000005
【図４】
2010139519.tif 000006
【図５】
2010139519.tif 000007
【図６】
2010139519.tif 000008